(57)【要約】【課題】空気の動きにくい収納室において、収納室内の空気質を合理的方法で効果的に改善することができる、収納室の空気質改善システムを提供する。【解決手段】両面に通気孔３…を備えた中空板４内に空気質改善物質を収容して形成された空気質改善パネル２が、収納室としての例えば服掛け室１内において、ハンガーバー６の真上で水平状態にされて設置されている。【選択図】      図１
2005279067.tif 000002
【特許請求の範囲】
【請求項１】
両面に通気孔を備えた中空板内に空気質改善物質を収容して形成された空気質改善パネルが、収納室としての服掛け室内において、ハンガーバーの真上で水平状態にされて設置されていることを特徴とする収納室の空気質改善システム。
【請求項２】
両面に通気孔を備えた中空板内に空気質改善物質を収容して形成された空気質改善パネルが、収納室としてのシューズボックス内において、収納されるシューズの真上で水平状態にされて設置されていることを特徴とする収納室の空気質改善システム。
【請求項３】
両面に通気孔を備えた中空板内に空気質改善物質を収容して形成された空気質改善パネルが、収納室としての押入れ内において、収納される物の真上で水平状態にされて設置されていることを特徴とする収納室の空気質改善システム。
【請求項４】
両面に通気孔を備えた中空板内に空気質改善物質を収容して形成された空気質改善パネルが、収納室内において、収納される物の真上で水平状態にされて設置されていることを特徴とする収納室の空気質改善システム。
【請求項５】
空気質改善パネルの上面側にパネル取付け面が備えられ、空気質改善パネルと取付け面との間に、周囲を通じて収納室と連通する隙間が備えられている請求項１乃至４のいずれか一に記載の収納室の空気質改善システム。
【発明の詳細な説明】
【技術分野】
【０００１】
本発明は、例えば、服掛け室、シューズボックス、押入れ等の収納室の空気質改善システムに関する。
【背景技術】
【０００２】
例えば、服掛け室、シューズボックス、押入れ等において、臭いのこもりや、結露やカビの発生を防ぐ目的で、消臭材や吸湿材等を用いた種々の工夫は、従来より種々なされているが、必ずしも、万全なものではなく、空気の動きにくい収納室において、いかにして、収納室内の空気質を合理的方法で効果的に改善するかが問題となる。
【発明の開示】
【発明が解決しようとする課題】
【０００３】
本発明は、上記のような問題点に鑑み、空気の動きにくい収納室において、収納室内の空気質を合理的方法で効果的に改善することができる、収納室の空気質改善システムを提供することを課題とする。
【課題を解決するための手段】
【０００４】
上記の課題は、両面に通気孔を備えた中空板内に空気質改善物質を収容して形成された空気質改善パネルが、収納室としての服掛け室内において、ハンガーバーの真上で水平状態にされて設置されていることを特徴とする収納室の空気質改善システムによって解決される。
【０００５】
このシステムは、服掛け室を対象としてその空気質改善を行うもので、例えば帰宅後、脱いだ服を服掛け室のハンガーバーに掛けると、未だ体温で温もりの残った服から発する臭気や湿気がその温度で上昇し、真上に水平状態に設置されている空気質改善パネル内の空気質改善物質がそれを直接的に受けて、臭気や湿気を除去する。即ち、空気の動きにくい服掛け室において、衣服に残された体温をうまい具合に利用して空気質改善パネルが空気を取り込み、服掛け室の空気質を改善するものであり、服掛け室内の空気質を合理的方法で効果的に改善することができる。しかも、空気質改善パネルは、ハンガーバーの真上に備えられているので、空気質改善パネルの設置で、ハンガーバーに掛けて収納できる衣服の量を少なくしてしまうこともない。また、パネルに構成されているので、設置も容易である。
【０００６】
また、上記の課題は、両面に通気孔を備えた中空板内に空気質改善物質を収容して形成された空気質改善パネルが、収納室としてのシューズボックス内において、収納されるシューズの真上で水平状態にされて設置されていることを特徴とする収納室の空気質改善システムによって解決される。
【０００７】
このシステムは、シューズボックス内を対象としてその空気質改善を行うもので、例えば帰宅後、脱いだ靴をシューズボックス内に片付けておくと、未だ体温で温もりの残った靴から発する臭気や湿気がその温度で上昇し、真上に水平状態に設置されている空気質改善パネル内の空気質改善物質がそれを直接的に受けて、臭気や湿気を除去する。即ち、空気の動きにくいシューズボックスにおいて、靴に残された体温をうまい具合に利用して空気質改善パネルが空気を取り込み、シューズボックス内の空気質を改善するものであり、シューズボックス内の空気質を合理的方法で効果的に改善することができる。しかも、空気質改善パネルは、収納される靴の真上に備えられているので、空気質改善パネルの設置で、収納できる靴の量を少なくしてしまうこともない。また、パネルに構成されているので、設置も容易である。
【０００８】
更に、上記の課題は、両面に通気孔を備えた中空板内に空気質改善物質を収容して形成された空気質改善パネルが、収納室としての押入れ内において、収納される物の真上で水平状態にされて設置されていることを特徴とする収納室の空気質改善システムによって解決される。
【０００９】
このシステムは、押入れ内を対象としてその空気質改善を行うもので、例えば朝起きて、布団を押入れに片付けておくと、未だ体温で温もりの残った布団から発する臭気や湿気がその温度で上昇し、真上に水平状態に設置されている空気質改善パネル内の空気質改善物質がそれを直接的に受けて、臭気や湿気を除去する。即ち、空気の動きにくい押入れの中において、布団に残された体温をうまい具合に利用して空気質改善パネルが空気を取り込み、押入れの中の空気質を改善するものであり、押入れ内の空気質を合理的方法で効果的に改善することができる。しかも、パネルに構成されているので、押入れ内への設置も容易に行うことができる。
【００１０】
また、両面に通気孔を備えた中空板内に空気質改善物質を収容して形成された空気質改善パネルが、収納室内において、収納される物の真上で水平状態にされて設置されていることを特徴とする収納室の空気質改善システムによっても解決される。即ち、このシステムは、服掛け室、シューズボックス、押入れに限らず、温もりの残った状態で収納される物であって、臭気や湿気を含んだものが収納される収納室を対象とし、該収納室内の空気質を合理的かつ効果的に改善することができるものである。
【００１１】
上記の各システムにおいて、空気質改善パネルの上面側にパネル取付け面が備えられ、空気質改善パネルと取付け面との間に、周囲を通じて収納室と連通する隙間が備えられているとよい。この場合は、収納物の温度で上昇する空気は、空気質改善パネルで臭気や湿気を除去されたのち、空気質改善パネルの上面側の隙間を通じて収納室に返されるので、収納室に空気質改善パネルを通じた空気の対流を生じ、収納室の空気質を効果的に改善していくことができる。
【発明の効果】
【００１２】
本発明は、以上のとおりのものであるから、空気の動きにくい収納室において、収納室内の空気質を合理的方法で効果的に改善することができる。
【発明を実施するための最良の形態】
【００１３】
次に、本発明の実施最良形態を図面に基づいて説明する。
【００１４】
図１に示す第１実施形態の空気質改善システムは、服掛け室１についてのもので、１は空気質改善パネルであり、該空気質改善パネル２は、図１（ロ）に示すように、方形板状のパネルからなっていて、幅寸法が例えば７５０ｍｍ、奥行き寸法が例えば３００ｍｍであり、通気用の小さな丸孔３…が両面の面内全域にわたるように多数分散状状態に備えられた中空板４を表装材として備え、中空板４の内部に図示しない空気質改善物質を収容して構成されているもので、本実施形態では、空気質改善物質として、消臭機能と調湿機能と備えたセラミックスナノカーボンが用いられている。
【００１５】
そして、この空気質改善パネル２は、図１（イ）に示すように、服掛け室１内において、ハンガーバー６の真上に備えられている枕棚５の下面側で水平状態にされ、枕棚５との間に、周囲を通じて服掛け室１内に連通する隙間８を形成するようにスペーサー９…を用いて枕棚５の下面側に取り付けられて、室内空気質改善システムを形成している。
【００１６】
このシステムは、帰宅後あるいは朝起きて脱いだ服７をハンガーバー６に掛けておくと、未だ体温で温もりの残った服７から発する臭気や湿気がその温度で上昇し、真上に水平状態に設置されている空気質改善パネル２内の空気質改善物質が通気孔３…を通じて直接的に受け、臭気や湿気を除去する。
【００１７】
特に、本実施形態では、衣服７から上昇する空気は、空気質改善パネル２で臭気や湿気を除去されたのち、空気質改善パネル２の上面側の隙間８を通じて服掛け室１に返されるので、服掛け室１に空気質改善パネル２を通じた空気の対流を生じ、服掛け室１内の空気質を効果的に改善していくことができる。
【００１８】
しかも、空気質改善パネル２は、ハンガーバー６の真上に備えられているので、空気質改善パネル２の設置で、ハンガーバー６に掛けて収納できる衣服７の量を少なくしてしまうこともなく、空気質改善パネル２の設置もパネル形態を利用して容易に行うことができる。
【００１９】
図２（イ）に示す第２実施形態の空気質改善システムは、シューズボックス１０についてのもので、空気質改善パネル２は、シューズボックス１０内において、ボックス１０の棚板１１の下面側で水平状態にされ、棚板１１との間に、周囲を通じてシューズボックス１０内に連通する隙間８を形成するようにスペーサー９…を用いて棚板１１の下面側に取り付けられて、室内空気質改善システムを形成している。なお、図示しないが、シューズボックス１０の天板の下面側にも同様に態様で空気質改善パネルが取り付けられていてもよい。
【００２０】
このシステムでは、例えば帰宅後、脱いだ靴をシューズボックス１０内に片付けておくと、未だ体温で温もりの残った靴１２…から発する臭気や湿気がその温度で上昇し、真上に水平状態に設置されている空気質改善パネル２内の空気質改善物質がそれを直接的に受けて、臭気や湿気を除去する。
【００２１】
特に、本実施形態では、靴１２から上昇する空気は、空気質改善パネル２で臭気や湿気を除去されたのち、空気質改善パネル２の上面側の隙間８を通じてシューズボックス１０に返されるので、シューズボックス１０内に空気質改善パネル２を通じた空気の対流を生じ、シューズボックス１０内の空気質を効果的に改善していくことができる。
【００２２】
しかも、空気質改善パネル２は、靴収納部の真上に備えられているので、空気質改善パネル２の設置で、靴１２…の収納量を少なくしてしまうこともなく、空気質改善パネル２の設置もパネル形態を利用して容易に行うことができる。
【００２３】
図２（ロ）に示す第３実施形態の空気質改善システムは、押入れ１３についてのもので、空気質改善パネル２…は、押入れ１３内において、上段スペース１３ａ内の天井部１４の下面側と、下段スペース１３ｂ内の中棚１５の下面側においてそれぞれ水平状態にされ、天井部１４との間、及び中棚１５との間に、周囲を通じて押入れ空間部内に連通する隙間８を形成するようにスペーサー９…を用いて天井部１４の下面側と中棚１５の下面側にそれぞれ取り付けられて、室内空気質改善システムを形成している。
【００２４】
このシステムでは、例えば朝起きて、布団１６を寝巻き類１７を押入れ１３に片付けておくと、未だ体温で温もりの残った布団１６や寝巻き類１７から発する臭気や湿気がその温度で上昇し、真上に水平状態に設置されている空気質改善パネル２内の空気質改善物質がそれを直接的に受けて、臭気や湿気を除去する。また、接客に用いた座布団１８…を押入れ１３に片付けておくと、未だ体温で温もりの残った座布団１８から発する臭気や湿気がその温度で上昇し、真上に水平状態に設置されている空気質改善パネル２がそれを直接的に受けて、臭気や湿気を除去する。
【００２５】
特に、本実施形態では、布団１６や寝巻き１７、座布団１８などから上昇する空気は、空気質改善パネル２，２で臭気や湿気を除去されたのち、空気質改善パネル２，２の上面側の隙間８，８を通じて押入れ１３内に返されるので、押入れ１３内に空気質改善パネル２，２を通じた空気の対流を生じ、押入れ１３内の空気質を効果的に改善していくことができる。しかも、空気質改善パネル２の設置もパネル形態を利用して容易に行うことができる。
【００２６】
なお、上記の各実施形態において、空気質改善パネル２の背面側の隙間８の厚さ寸法は、室内空気質改善の効果的促進と収納室の収納スペース確保の邪魔にならないように、例えば、５〜５０ｍｍの範囲、特に、１５〜３０ｍｍの範囲において設定されるのが好ましい。
【００２７】
以上に、本発明の実施形態を示したが、本発明はこれに限られるものではなく、発明思想を逸脱しない範囲で各種の変更が可能である。例えば、空気質改善パネル２に備えさせる通気孔３…の形態やサイズに制限はないし、パネルの形状も様々であってもよいし、サイズも収納室との関係で大小変更されてよい。更に、上記の実施形態では、空気質改善物質として、消臭、調湿の両機能を備えたものを示しているが、消臭機能のみを備えたものであってもよいし、調湿機能のみを備えたものであってもよいし、その他の空気質改善機能を備えたものであってもよい。
【図面の簡単な説明】
【００２８】
【図１】図（イ）は第１実施形態の服掛け室の空気質改善システムを示す断面側面図、図（ロ）は空気質改善パネルの斜視図である。
【図２】図（イ）は第２実施形態のシューズボックス内の空気質改善システムを示す断面側面図、図（ロ）は第３実施形態の押入れ内の空気質改善システムを示す断面側面図である。
【符号の説明】
【００２９】
１…服掛け室（収納室）
２…空気質改善パネル
３…通気孔
４…中空板
６…ハンガーバー
７…衣服（収納物）
８…隙間
１０…シューズボックス（収納室）
１２…靴（収納物）
１３…押入れ（収納室）
１６…布団（収納物）
１７…寝巻き類（収納物）
１８…座布団（収納物）
【図１】
2005279067.tif 000003
【図２】
2005279067.tif 000004